(57)【要約】【課題】メモリーカードスロットの画像を表示する際や、ＲＧＢ入力端子にコンピュータ信号を接続して画像を表示する際に、迅速で且つ少ない手間で画像を表示することができる投射型画像表示装置を提供することを目的とする。【解決手段】ＳＤカード挿入の検出、もしくはＳＤカード内の画像ファイル有無の検出機能を有するマイコン５を具備し、ＳＤカードの挿入、もしくはＳＤカード内の画像ファイルの存在を検出した際に、電源をオンしてランプ６を点灯させるとともに、前回使用の電源オフ時にどの入力端子を選択していたかにかかわらず、自動的にＳＤカードスロット１を入力端子として選択して表示する。【選択図】図１
2007212619.tif 000002
【特許請求の範囲】
【請求項１】
画像ファイルを保存したメモリーカードが挿入されるメモリーカードスロットと、１つ以上の画像入力端子と、前記メモリーカードスロットおよび前記画像入力端子からの画像信号を画像として表示する画像表示デバイスと、投射光により前記画像表示デバイスに表示された画像を装置本体の外部に投写するためのランプと、前記メモリーカードスロットおよび前記画像入力端子からの画像信号を選択的に切り替えて前記画像表示デバイスに供給する選択回路と、前記選択回路の切り替えおよび前記ランプの点灯を制御する制御回路と、前記メモリーカードスロットにメモリーカードが挿入されたことを検出し、前記制御回路に検出信号を送出するカード検出部とを有し、
前記制御回路は、前記装置本体のスタンバイ状態において、前記メモリーカードスロットにメモリーカードが挿入されたことを検出する検出信号の入力結果に基づいて、前記ランプを点灯させるとともに、前記選択回路の切り替え先を制御して画像を表示することを特徴とする投射型画像表示装置。
【請求項２】
制御回路は、メモリーカードスロットにメモリーカードが挿入されたことを示す検出信号が入力された場合、ランプを点灯させるとともに、その時点で選択回路が前記メモリーカードスロットもしくは画像入力端子のいずれを選択している状態であるかにかかわらず、前記メモリーカードスロットからの画像信号を画像表示デバイスに供給するように前記選択回路を制御することを特徴とする請求項１記載の投射型画像表示装置。
【請求項３】
画像ファイルを保存したメモリーカードが挿入されるメモリーカードスロットと、１つ以上の画像入力端子と、前記メモリーカードスロットおよび前記画像入力端子からの画像信号を画像として表示する画像表示デバイスと、投射光により前記画像表示デバイスに表示された画像を装置本体の外部に投写するためのランプと、前記メモリーカードスロットおよび前記画像入力端子からの画像信号を選択的に切り替えて前記画像表示デバイスに供給する選択回路と、前記選択回路の切り替えおよび前記ランプの点灯を制御する制御回路と、前記メモリーカードスロットにメモリーカードが挿入されたことを検出し、前記制御回路に検出信号を送出するカード検出部とを有し、
前記制御回路は、前記ランプの投射状態において、前記メモリーカードスロットにメモリーカードが挿入されたことを検出する検出信号の入力結果に基づいて、前記選択回路の切り替え先を制御して画像を表示することを特徴とする投射型画像表示装置。
【請求項４】
制御回路は、メモリーカードスロットにメモリーカードが挿入されたことを示す検出信号が入力された場合、その時点で選択回路が前記メモリーカードスロットもしくは画像入力端子のいずれを選択している状態であるかにかかわらず、前記メモリーカードスロットからの画像信号を画像表示デバイスに供給するように前記選択回路を制御することを特徴とする請求項３記載の投射型画像表示装置。
【請求項５】
画像ファイルを保存したメモリーカードが挿入されるメモリーカードスロットと、１つ以上の画像入力端子と、前記メモリーカードスロットおよび前記画像入力端子からの画像信号を画像として表示する画像表示デバイスと、投射光により前記画像表示デバイスに表示された画像を装置本体の外部に投写するためのランプと、前記メモリーカードスロットおよび前記画像入力端子からの画像信号を選択的に切り替えて前記画像表示デバイスに供給する選択回路と、前記選択回路の切り替えおよび前記ランプの点灯を制御する制御回路とを有し、
前記制御回路は、前記装置本体のスタンバイ状態において、前記メモリーカードスロットに挿入されたメモリーカード内に画像ファイルが存在した場合、もしくは表示対応可能な画像ファイルが存在していると判断した場合の少なくとも一方の場合に、前記ランプを点灯させるとともに、前記選択回路の切り替え先を制御して画像を表示することを特徴とする投射型画像表示装置。
【請求項６】
制御回路は、メモリーカードスロットに挿入されたメモリーカード内の画像ファイルが存在した場合、もしくは表示対応可能な画像ファイルであると判断した場合の少なくとも一方の場合に、ランプを点灯させるとともに、その時点で選択回路が前記メモリーカードスロットもしくは画像入力端子のいずれを選択している状態であるかにかかかわらず、前記メモリーカードスロットからの画像信号を画像表示デバイスに供給するように前記選択回路を制御することを特徴とする請求項５記載の投射型画像表示装置。
【請求項７】
画像ファイルを保存したメモリーカードが挿入されるメモリーカードスロットと、１つ以上の画像入力端子と、前記メモリーカードスロットおよび前記画像入力端子からの画像信号を画像として表示する画像表示デバイスと、投射光により前記画像表示デバイスに表示された画像を装置本体の外部に投写するためのランプと、前記メモリーカードスロットおよび前記画像入力端子からの画像信号を選択的に切り替えて前記画像表示デバイスに供給する選択回路と、前記選択回路の切り替えおよび前記ランプの点灯を制御する制御回路とを有し、
前記制御回路は、前記ランプの投射状態において、前記メモリーカードスロットに挿入されたメモリーカード内に画像ファイルが存在した場合、もしくは表示対応可能な画像ファイルが存在していると判断した場合の少なくとも一方の場合に、前記選択回路の切り替え先を制御して画像を表示することを特徴とする投射型画像表示装置。
【請求項８】
制御回路は、メモリーカードスロットに挿入されたメモリーカード内に画像ファイルが存在した場合、もしくは表示対応可能な画像ファイルであると判断した場合の少なくとも一方の場合に、その時点で選択回路が前記メモリーカードスロットもしくは画像入力端子のいずれを選択している状態であるかにかかかわらず、前記メモリーカードスロットからの画像信号を画像表示デバイスに供給するように前記選択回路を制御することを特徴とする請求項７記載の投射型画像表示装置。
【請求項９】
ＲＧＢ入力端子と、前記ＲＧＢ入力端子以外の少なくとも１つ以上の画像入力端子と、前記ＲＧＢ入力端子および前記ＲＧＢ入力端子以外の画像入力端子からの画像信号を画像として表示する画像表示デバイスと、投射光により前記画像表示デバイスに表示された画像を装置本体の外部に投写するためのランプと、前記ＲＧＢ入力端子と前記ＲＧＢ入力端子以外の画像入力端子からの画像信号を選択的に切り替えて前記画像表示デバイスに供給する選択回路と、前記選択回路の切り替えおよび前記ランプの点灯を制御する制御回路と、前記ＲＧＢ入力端子および前記制御回路に接続されたプラグアンドプレイメモリと、前記ＲＧＢ入力端子から前記プラグアンドプレイメモリへの通信信号を検出するプラグアンドプレイ検出部とを有し、
前記制御回路は、前記装置本体のスタンバイ状態において、前記ＲＧＢ入力端子から前記プラグアンドプレイメモリへの通信信号の検出結果に基づいて、前記ランプを点灯させるとともに、前記選択回路の切り替え先を制御することを特徴とする投射型画像表示装置。
【請求項１０】
制御回路は、ＲＧＢ入力端子からプラグアンドプレイメモリの通信信号を検出することによって、前記ＲＧＢ入力端子から画像信号が入力されたと判断した場合に、ランプを点灯させるとともに、その時点で選択回路が前記ＲＧＢ入力端子もしくは前記ＲＧＢ入力端子以外の画像入力端子のいずれの入力端子を選択している状態であるかにかかわらず、
前記ＲＧＢ入力端子からの画像信号を画像表示デバイスに供給するように前記選択回路を制御することを特徴とする請求項１０記載の投射型画像表示装置。
【請求項１１】
画像信号が入力されるＲＧＢ入力端子と、前記ＲＧＢ入力端子以外の少なくとも１つ以上の画像入力端子と、前記ＲＧＢ入力端子および前記ＲＧＢ入力端子以外の画像入力端子からの画像信号を画像として表示する画像表示デバイスと、投射光により前記画像表示デバイスに表示された画像を装置本体の外部に投写するためのランプと、前記ＲＧＢ入力端子と前記ＲＧＢ入力端子以外の画像入力端子からの画像信号を選択的に切り替えて前記画像表示デバイスに供給する選択回路と、前記選択回路の切り替えおよび前記ランプの点灯を制御する制御回路と、前記ＲＧＢ入力端子および前記制御回路に接続されたプラグアンドプレイメモリと、前記ＲＧＢ入力端子から前記プラグアンドプレイメモリへの通信信号を検出するプラグアンドプレイ検出部とを有し、
前記制御回路は、前記ランプの投射状態において、前記ＲＧＢ入力端子から前記プラグアンドプレイメモリへの通信信号の検出結果に基づいて、前記選択回路の切り替え先を制御することを特徴とする投射型画像表示装置。
【請求項１２】
制御回路は、ＲＧＢ入力端子からプラグアンドプレイメモリの通信信号を検出することによって、前記ＲＧＢ入力端子から画像信号が入力されたと判断した場合に、その時点で選択回路が前記ＲＧＢ入力端子もしくは前記ＲＧＢ入力端子以外の画像入力端子のいずれの入力端子を選択している状態であるかにかかわらず、
前記ＲＧＢ入力端子からの画像信号を画像表示デバイスに供給するように前記選択回路を制御することを特徴とする請求項１１記載の投射型画像表示装置。
【請求項１３】
画像表示デバイスは、液晶パネルもしくはＤＭＤを用いたプロジェクターであることを特徴とする請求項１乃至請求項１２のいずれかに記載の投射型画像表示装置。
【発明の詳細な説明】
【技術分野】
【０００１】
本発明は、画像ファイルを保存したメモリーカードが挿入されるメモリーカードスロットと、Ｖｉｄｅｏ端子やＤｓｕｂ１５ピン端子（以下、単にＲＧＢ入力端子と記す）など複数の画像入力端子をもつプロジェクター等の投射型画像表示装置に関する。
【背景技術】
【０００２】
近年、投射型画像表示装置である、液晶やＤＭＤ（デジタルマイクロミラーデバイス）を用いたプロジェクターは、小型軽量ながら大画面画像を表示できるため各社から数多く商品が市場に投入されている。
【０００３】
最近では、ＳＤカード（Ｓｅｃｕｒｅ Ｄｉｇｉｔａｌ ｍｅｍｏｒｙ ｃａｒｄ）などのメモリーカードに対応したメモリーカードスロットを装備し、メモリーカードスロットに挿入したメモリーカード内に保存された画像を投写表示するプロジェクターも商品化されており、セールス用のプレゼンテーション資料をＳＤカードに保存しておきプロジェクターとともに相手先を訪問、その場でプレゼンテーションを実施する、もしくはセールス用のプレゼンテーション資料をノートＰＣに保存してプロジェクターと共に相手先を訪問、その場でプレゼンテーションを実施する、といった使い方が多くされる。
【０００４】
このような用途に用いられるため、迅速なセットアップでスマートなプレゼンテーションができるプロジェクターへの要望が高まっている。
【０００５】
これらに対応する方法として例えば特許文献１ではメモリーカードスロットにメモリーカードが挿入されたことを検知してメモリーカード内の画像を自動的に表示する方法が紹介されている。
【０００６】
また、特許文献２ではコンピュータからの入力信号をプロジェクターに装備されたメモリーカードスロット内のメモリーカードに順次記録させ、次回同じデータを表示する際にメモリーカードのデータを選択することによって迅速に画像を表示する方法が紹介されている。
【特許文献１】特開２００４−３２６２５３号公報
【特許文献２】特開２０００−６６６４６号公報
【発明の開示】
【発明が解決しようとする課題】
【０００７】
しかしながら、通常プロジェクターは、メモリーカードスロット以外にも、Ｖｉｄｅｏ端子やＲＧＢ入力端子、ＢＮＣ端子など複数の画像入力端子を装備するとともに、画像を装置本体の外部のスクリーン等に投写するためのランプを備えており、上記従来の技術における特許文献１の方法や特許文献２の方法については、ランプが点灯している状態で、且つメモリーカードスロットが表示すべき入力端子であると選択されているときは有効であるが、セールスとしてのプレゼンテーションを実施する場合には、相手先のところへプロジェクターを持参して、電源を投入することによってランプを点灯させるという第１のステップと、前回使用時にどの入力端子が選択されていたかを覚えているとは限らないため、ランプ点灯後にオンスクリーンの表示等で現在選択している入力端子を確かめ、メモリーカードスロット以外が選択されている場合にはリモコンやコントロールパネルを操作するなどしてメモリーカードスロットを選択するという第２のステップを実行した後に、メモリーカードを挿入して画像を表示することとなる。
【０００８】
以上のように、現状の方法ではプロジェクターにおいては、上記第１および第２のステップのため、ある程度の手間と時間が必要である。
【０００９】
以下、この課題について、図を用いてより詳しく説明する。
【００１０】
まず、ユーザーがメモリーカードの画像を投写表示する場合の一般的な動作について考える。
【００１１】
図６は、従来のプロジェクターにおけるユーザーがメモリーカードの画像を投写表示するまでの動作について示したフローチャートである。
【００１２】
図６に示すように、まずプロジェクターにＡＣ電源を投入してスタンバイ状態にする第１のステップと、ランプを点灯させる第２のステップと、オンスクリーンなどで現在選択されている入力端子を確認し、メモリーカードスロット以外の入力端子が選択されている場合には、リモコンやコントロールパネルなどを操作して、メモリーカードスロットを入力端子として選択するように切り替える第３のステップと、メモリーカードをメモリーカードスロットに挿入する第４のステップの４つのステップが必要となり、操作の手間と、ある程度の時間を要していた。
【００１３】
また、通常プロジェクターは前回使用した際の電源オフ時に、どの入力端子を選択していたかを記憶しており、電源オン時には同じ入力端子が選択されるように設計されているが、ユーザーが前回どの入力端子を使用したかを必ずしも記憶しているわけではなく、また、１台のプロジェクターを複数のユーザーで使用している場合には、前ユーザーがどの入力端子を選択していたかは不明なため、電源をオンして現在の入力端子をオンスクリーンなどで確認して、その後、リモコンやコントロールパネルなどを操作して、メモリーカードスロットを入力端子として選択するように切り替えなければならないという煩わしさがあった。
【００１４】
次に、ユーザーがノートＰＣの画像をプロジェクターのＲＧＢ入力端子に接続して投写表示する場合の一般的な動作について考える。
【００１５】
図７は、ユーザーがノートＰＣの画像をＲＧＢ入力端子に接続して画像を投写表示するまでの動作について示したフローチャートである。
【００１６】
図７に示すように、まず、ＡＣ電源を投入してスタンバイ状態とする第１のステップと、ランプを点灯させる第２のステップと、オンスクリーンなどで現在選択されている入力端子を確認し、ＲＧＢ入力端子以外の入力端子が選択されている場合には、リモコンやコントロールパネルなどを操作して、ＲＧＢ入力端子を選択するように切り替える第３のステップと、ノートＰＣの画像信号を、外部出力モードもしくは内部および外部の両方に出力するモード（以下、併せて単に外部モニターモードと記す）に設定する第４のステップの４つのステップが必要となり、操作の手間と、ある程度の時間を要していた。
【００１７】
また、この場合も、ユーザーが前回どの入力端子を使用したかを必ずしも記憶しているわけではなく、また、１台のプロジェクターを複数のユーザーで使用している場合には、前ユーザーがどの入力端子を選択していたかは不明なため、電源をオンして現在の入力端子をオンスクリーンなどで確認して、その後、リモコンやコントロールパネルなどを操作してＲＧＢ入力端子を入力端子として選択するように切り替えなければならないという煩わしさがあった。
【００１８】
本発明は、上記のような課題を考慮し、メモリーカードスロットの画像を表示する際や、ＲＧＢ入力端子にコンピュータ信号を接続して画像を表示する際に、迅速で且つ少ない手間で画像を表示することができる投射型画像表示装置を提供することを目的とするものである。
【課題を解決するための手段】
【００１９】
上記課題を解決するために、第１の本発明は、画像ファイルを保存したメモリーカードが挿入されるメモリーカードスロットと、１つ以上の画像入力端子と、前記メモリーカードスロットおよび前記画像入力端子からの画像信号を画像として表示する画像表示デバイスと、前記画像表示デバイスに表示された画像を装置本体の外部に投写するためのランプと、前記メモリーカードスロットおよび前記画像入力端子からの画像信号を選択的に切り替えて前記画像表示デバイスに供給する選択回路と、前記選択回路の切り替えおよび前記ランプの点灯を制御する制御回路と、前記メモリーカードスロットにメモリーカードが挿入されたことを検出し、前記制御回路に検出信号を送出するカード検出部とを有し、前記制御回路は、前記装置本体のスタンバイ状態において、前記メモリーカードスロットにメモリーカードが挿入されたことを検出する検出信号の入力結果に基づいて、前記ランプを点灯させるとともに、前記メモリーカードスロットからの画像信号を画像表示デバイスに供給するように前記選択回路の切り替え先を制御する投射型画像表示装置であり、
第２の本発明は、画像ファイルを保存したメモリーカードが挿入されるメモリーカードスロットと、１つ以上の画像入力端子と、前記メモリーカードスロットおよび前記画像入力端子からの画像信号を画像として表示する画像表示デバイスと、前記画像表示デバイスに表示された画像を装置本体の外部に投写するためのランプと、前記メモリーカードスロットおよび前記画像入力端子からの画像信号を選択的に切り替えて前記画像表示デバイスに供給する選択回路と、前記選択回路の切り替えおよび前記ランプの点灯を制御する制御回路と、前記メモリーカードスロットにメモリーカードが挿入されたことを検出し、前記制御回路に検出信号を送出するカード検出部とを有し、前記制御回路は、前記ランプの投射状態において、前記メモリーカードスロットにメモリーカードが挿入されたことを示す検出信号が入力された場合、その時点で選択回路が前記メモリーカードスロットもしくは画像入力端子のいずれを選択している状態であるかにかかわらず、前記メモリーカードスロットからの画像信号を画像表示デバイスに供給するように前記選択回路を制御する投射型画像表示装置であり、
第３の本発明は、画像ファイルを保存したメモリーカードが挿入されるメモリーカードスロットと、１つ以上の画像入力端子と、前記メモリーカードスロットおよび前記画像入力端子からの画像信号を画像として表示する画像表示デバイスと、前記画像表示デバイスに表示された画像を装置本体の外部に投写するためのランプと、前記メモリーカードスロットおよび前記画像入力端子からの画像信号を選択的に切り替えて前記画像表示デバイスに供給する選択回路と、前記選択回路の切り替えおよび前記ランプの点灯を制御する制御回路とを有し、前記制御回路は、前記装置本体のスタンバイ状態において、前記メモリーカードスロットに挿入されたメモリーカード内に画像ファイルが存在した場合、もしくは表示対応可能な画像ファイルが存在していると判断した場合の少なくとも一方の場合に、前記ランプを点灯させるとともに、前記メモリーカードスロットからの画像信号を画像表示デバイスに供給するように前記選択回路を制御する投射型画像表示装置であり、
第４の本発明は、画像ファイルを保存したメモリーカードが挿入されるメモリーカードスロットと、１つ以上の画像入力端子と、前記メモリーカードスロットおよび前記画像入力端子からの画像信号を画像として表示する画像表示デバイスと、前記画像表示デバイスに表示された画像を装置本体の外部に投写するためのランプと、前記メモリーカードスロットおよび前記画像入力端子からの画像信号を選択的に切り替えて前記画像表示デバイスに供給する選択回路と、前記選択回路の切り替えおよび前記ランプの点灯を制御する制御回路とを有し、前記制御回路は、前記ランプの投射状態において、前記メモリーカードスロットに挿入されたメモリーカード内に画像ファイルが存在した場合、もしくは表示対応可能な画像ファイルが存在していると判断した場合の少なくとも一方の場合に、前記メモリーカードスロットからの画像信号を画像表示デバイスに供給するように前記選択回路の切り替え先を制御する投射型画像表示装置であり、
第５の本発明は、画像信号が入力されるＲＧＢ入力端子と、前記ＲＧＢ入力端子以外の少なくとも１つ以上の画像入力端子と、前記ＲＧＢ入力端子および前記ＲＧＢ入力端子以外の画像入力端子からの画像信号を画像として表示する画像表示デバイスと、前記画像表示デバイスに表示された画像を装置本体の外部に投写するためのランプと、前記ＲＧＢ入力端子と前記ＲＧＢ入力端子以外の画像入力端子からの画像信号を選択的に切り替えて前記画像表示デバイスに供給する選択回路と、前記選択回路の切り替えおよび前記ランプの点灯を制御する制御回路と、前記ＲＧＢ入力端子および前記制御回路に接続されたプラグアンドプレイメモリと、前記ＲＧＢ入力端子から前記プラグアンドプレイメモリへの通信信号を検出するプラグアンドプレイ検出部とを有し、前記制御回路は、前記装置本体のスタンバイ状態において、前記ＲＧＢ入力端子から前記プラグアンドプレイメモリへの通信信号の検出結果に基づいて、前記ランプを点灯させるとともに、前記ＲＧＢ入力端子からの画像信号を画像表示デバイスに供給するように制御する投射型画像表示装置であり、
第６の本発明は、画像信号が入力されるＲＧＢ入力端子と、前記ＲＧＢ入力端子以外の少なくとも１つ以上の画像入力端子と、前記ＲＧＢ入力端子および前記ＲＧＢ入力端子以外の画像入力端子からの画像信号を画像として表示する画像表示デバイスと、前記画像表示デバイスに表示された画像を装置本体の外部に投写するためのランプと、前記ＲＧＢ入力端子と前記ＲＧＢ入力端子以外の画像入力端子からの画像信号を選択的に切り替えて前記画像表示デバイスに供給する選択回路と、前記選択回路の切り替えおよび前記ランプの点灯を制御する制御回路と、前記ＲＧＢ入力端子および前記制御回路に接続されたプラグアンドプレイメモリと、前記ＲＧＢ入力端子から前記プラグアンドプレイメモリへの通信信号を検出するプラグアンドプレイ検出部とを有し、前記制御回路は、前記ランプの投射状態において、前記ＲＧＢ入力端子から前記プラグアンドプレイメモリへの通信信号の検出結果に基づいて、前記ＲＧＢ入力端子からの画像信号を画像表示デバイスに供給するように制御する投射型画像表示装置を提供するものである。
【発明の効果】
【００２０】
以上のように本発明によると、画像ファイルを保存したメモリーカードが挿入されるメモリーカードスロットと、１つ以上の画像入力端子と、画像を投写するためのランプとを装備している画像表示装置において、メモリーカードの画像を投写表示する際に、迅速で且つ少ない手間で画像を表示することができる、
あるいは、複数の入力端子と、画像を投写するためのランプを装備したプロジェクターで、ＲＧＢ入力端子にコンピュータ信号を接続して画像を表示する際に、迅速で且つ少ない手間で画像を表示することができる。
【発明を実施するための最良の形態】
【００２１】
以下、本発明にかかる実施の形態について、図面を参照しつつ説明を行う。
【００２２】
（実施の形態１）
はじめに、本発明の実施の形態１の画像表示装置について説明する。
【００２３】
図１は、本発明の実施の形態１の画像表示装置であるプロジェクターの概略構成を示す図面であり、１は画像ファイルを保存したＳＤカードが挿入されるＳＤカードスロット、２はＶｉｄｅｏ入力端子、３はＲＧＢ入力端子、４は、ＳＤカードスロット１、Ｖｉｄｅｏ入力端子２、ＲＧＢ入力端子３の信号から１つの信号を選択的に切り替えて、液晶パネル７に供給する選択回路、５は、選択回路４の選択先を制御するマイコン、６は、画像を装置本体の外部のスクリーン等に投写するためのランプ、８は、ランプ６からの放射光が液晶パネル７を透過することによって形成される画像を投写する投写レンズである。ＳＤカードスロット１のカード検出部１１からのＳＤカード挿入検出信号（以下、単に検出信号と記す）はマイコン５に接続されている。
【００２４】
以上のように構成された本実施形態のプロジェクターについて、図２のフローチャートを用いてその動作を説明する。
【００２５】
通常、ユーザーがプロジェクターを使用する場合、まず、ＡＣ電源を投入してスタンバイ状態とする。このとき、プロジェクターのマイコン５は前回電源オフ時に選択回路４がＳＤカードスロット１、Ｖｉｄｅｏ入力端子２、ＲＧＢ入力端子３のどの入力端子を選択していたか、すなわちどの入力端子の画像を表示していたかをメモリ（図示せず）から読み出す。
【００２６】
本例では前回電源オフ時にＶｉｄｅｏ入力端子２が選択されていたとする。
【００２７】
ここで、ＳＤカードの画像を表示しようとするユーザーは、ＳＤカードスロット１にＳＤカードを挿入する。
【００２８】
ＳＤカードスロット１のカード検出部１１からはＳＤカードが挿入されたことを検出する検出信号がマイコン５に供給される。
【００２９】
マイコン５は検出信号によってＳＤカードスロット１にＳＤカードが挿入されたことを検知してランプ６を点灯させるとともに、Ｖｉｄｅｏ入力端子２の画像信号を液晶パネル７に供給するように選択されていた選択回路４を制御して、ＳＤカードスロット１の画像信号を液晶パネル７に供給する。
【００３０】
ランプ６の放射光は液晶パネル７を透過して画像を形成し、投写レンズ８でスクリーン（図示せず）に拡大投写される。
【００３１】
ＳＤカードの画像を投写しようとするユーザーは、スタンバイ状態に設置されたプロジェクターのＳＤカードスロット１にＳＤカードを挿入するのみで、画像を表示することが可能で、リモコンやコントロールパネルを操作してランプを点灯させる操作や、現在選択されている入力端子をオンスクリーンなどで確認して、その後、リモコンやコントロールパネルを操作して入力端子を切り替える必要もなく、迅速で且つ少ない操作で画像を表示することができる。
【００３２】
なお、本実施の形態においては、スタンバイ状態にあるプロジェクターにＳＤカードを挿入した場合について述べたが、ランプ点灯状態にあるプロジェクターで、たとえば、Ｖｉｄｅｏ入力端子２からの画像信号を投射表示しているプロジェクターのＳＤカードスロット１にＳＤカードを挿入した場合に、ＳＤカードスロット１からの検出信号がマイコン５に供給され、マイコン５がＶｉｄｅｏ入力端子２の画像信号を液晶パネル７に供給するように選択されていた選択回路４を制御して、ＳＤカードスロット１の画像信号を液晶パネル７に供給するという動作も可能である。
【００３３】
これによって、ＳＤカードの画像を投写しようとするユーザーは、投射状態にあるプロジェクターのＳＤカードスロット１にＳＤカードを挿入するのみでＳＤカードの画像を表示することが可能で、現在選択されている入力端子をオンスクリーンなどで確認して、その後、リモコンやコントロールパネルを操作して入力端子を切り替える必要もなく、迅速で且つ少ない操作で画像を表示することができる。
【００３４】
（実施の形態２）
次に、本発明の実施の形態２の画像表示装置を、図３を参照しながら説明する。
【００３５】
図３は本発明の実施形態２の画像表示装置であるプロジェクターの概略構成を示す図面であり、９はＳＤカードスロット１に挿入されたＳＤカード内の画像ファイルを展開するプロセッサであり、画像信号を選択回路４に供給するとともに、画像ファイルの形式やファイル名、拡張子などの情報をマイコン５に供給する機能を有している。その他の構成要素は図１の同番号と同じである。
【００３６】
プロセッサ９はマイコン５に接続されており、ＳＤカードスロット１に挿入されたＳＤカード内の画像ファイルのデータ画像ファイルの形式やファイル名、拡張子などの画像ファイル情報をマイコン５に送信する機能を有している。
【００３７】
以上のように構成された本実施の形態のプロジェクターについて、その動作を説明する。動作を示すフローチャートは、実施の形態１の図２と同じである。
【００３８】
本発明の実施形態１と同様に、通常、ユーザーがプロジェクターを使用する場合、まず、ＡＣ電源を投入してスタンバイ状態とし、マイコン５が前回電源オフ時にどの入力端子の画像を表示していたかをメモリから読み出す。
【００３９】
本実施形態においても、前回電源オフ時にＶｉｄｅｏ入力端子２が選択されていたとする。
【００４０】
ここで、ＳＤカードの画像を表示しようとするユーザーは、ＳＤカードスロット１にＳＤカードを挿入する。
【００４１】
プロセッサ９は挿入されたＳＤカードの画像ファイルを処理するとともに、画像ファイルの形式やファイル名、拡張子などの画像ファイル情報をマイコン５に供給する。
【００４２】
マイコン５は画像ファイル情報を解析して、対応すべき画像ファイル情報が、挿入されたＳＤカード内に存在すれば、ランプ６を点灯させるとともに、Ｖｉｄｅｏ入力端子２の画像信号を液晶パネル７に供給するように選択されていた選択回路４を制御して、プロセッサ９の画像信号を液晶パネル７に供給する。
【００４３】
ランプ６の放射光は液晶パネル７を透過して画像を形成し、投写レンズ８でスクリーン（図示せず）に拡大投写される。
【００４４】
以上のような動作によって、ＳＤカードの画像を投写しようとするユーザーは、ＳＤカードスロット１にＳＤカードを挿入するのみで画像を表することが可能で、リモコンやコントロールパネルを操作して電源をオンする操作や、現在の入力端子をオンスクリーンなどで確認して、その後リモコンやコントロールパネルを操作して入力端子を切り替える必要もなく、迅速で且つ少ない操作で画像を表示することができる。
【００４５】
なお、本実施の形態において、対応すべき画像ファイル情報がＳＤカード内に存在すれば電源をオンしてランプ６を点灯させるとともに、選択回路４を制御して、プロセッサ９の画像信号を液晶パネル７に供給するようにしたが、ＳＤカード内に対応すべき画像ファイル情報がない場合でも、電源をオンしてランプ６を点灯させ、対応すべき画像ファイルがないという表示をオンスクリーンで表示するようにしてもよい。
【００４６】
また、本実施の形態においては、スタンバイ状態にあるプロジェクターにＳＤカードを挿入した場合について述べたが、ランプ点灯状態にあるプロジェクターで、たとえば、Ｖｉｄｅｏ入力端子２からの画像信号を投射表示しているプロジェクターのＳＤカードスロット１にＳＤカードを挿入した場合に、マイコン５は画像ファイル情報を解析して、対応すべき画像ファイル情報が挿入されたＳＤカード内に存在すれば、Ｖｉｄｅｏ入力端子２の画像信号を液晶パネル７に供給するように選択されていた選択回路４を制御して、プロセッサ９の画像信号を液晶パネル７に供給するという動作も可能である。
【００４７】
これによって、ＳＤカードの画像を投写しようとするユーザーは、投射状態にあるプロジェクターのＳＤカードスロット１にＳＤカードを挿入するのみで、ＳＤカードの画像を表示することが可能で、現在現在選択されている入力端子をオンスクリーンなどで確認して、その後、リモコンやコントロールパネルを操作して入力端子を切り替える必要もなく、迅速で且つ少ない操作で画像を表示することができる。
【００４８】
また、本発明の実施の形態１および実施の形態２においては、ＳＤカードスロットとＶｉｄｅｏ入力端子、ＲＧＢ入力端子を入力端子として装備するプロジェクターについて述べたが、これに限定されるものではなく、たとえば、ＳＤカードスロットのみを装備するプロジェクターにおいても、ＳＤカード挿入の検出、もしくは画像ファイルの情報によってランプを点灯させ、画像を表示するなどの動作は本発明から容易に類推されるものである。
【００４９】
（実施の形態３）
次に、本発明の実施の形態３の投射型画像表示装置について説明する。
【００５０】
図４は本発明の実施の形態３の投射型画像表示装置であるプロジェクターの概略構成を示す図面であり、１０はプラグアンドプレイメモリであり、その他の構成要素は図１および図３の同番号と同じである。
【００５１】
また、ＲＧＢ入力端子３からのプラグアンドプレイデータ信号は、プラグアンドプレイメモリ１０に接続されているとともにマイコン５に接続されている。
【００５２】
以上のように構成された本実施の形態のプロジェクターについて、図５のフローチャートを用いてその動作を説明する。
【００５３】
ユーザーがプロジェクターを使用する場合、プロジェクターの電源をオンしてランプを点灯させ、選択されている入力端子の画像を表示する。通常、プロジェクターは前回電源オフ時に選択回路４がいずれの入力端子を選択していたかをメモリ（図示せず）に記憶させているため、電源オン時にはこのデータを読み出し、前回使用の電源オフ時に選択されていた入力端子が選択される。
【００５４】
ここで一例として、前回使用時の電源オフ時に選択されていた入力端子がＶｉｄｅｏ入力端子２であったとする。
【００５５】
ノートＰＣ（図示せず）の画像を表示させたいユーザーは、ノートＰＣの出力信号をＲＧＢ入力端子３に接続し、ノートＰＣの画像出力モードの設定を外部モニターモードに設定する。
【００５６】
このとき、ノートＰＣはプロジェクター内部のプラグアンドプレイメモリ１０にアクセスし、ノートＰＣの種々の設定を行うが、本実施の形態ではノートＰＣからプラグアンドプレイメモリ１０へのアクセス信号がマイコン５に接続されているため、ユーザーがノートＰＣを外部モニターモードに設定し、プロジェクターに画像信号が入力されたことを検知できる。
【００５７】
ここで、マイコン５はランプ６を点灯させることによってプロジェクターの電源をオンするとともに、Ｖｉｄｅｏ入力端子２からの入力信号を液晶パネル７に供給するように選択していた選択回路４を、ＲＧＢ入力端子３に接続されたノートＰＣの画像を液晶パネル７に供給するように切り替えて、ノートＰＣの画像が表示される。
【００５８】
ノートＰＣの画像を表示させたいユーザーは、ノートＰＣの出力信号をＲＧＢ入力端子３に接続し、ノートＰＣの画像出力モードの設定を外部モニターモードに設定するのみで画像を表することが可能で、リモコンやコントロールパネルを操作して電源をオンする操作や、現在の入力端子をオンスクリーンなどで確認して、その後、リモコンやコントロールパネルを操作して入力端子を切り替える必要もなく、迅速で且つ少ない操作で画像を表示することができる。
【００５９】
本実施の形態では、ユーザーがランプを点灯させた際に、どの入力端子が選択されているかを確認することなく、ノートＰＣを外部モニターモードに設定するのみでプロジェクターの電源がオンするとともに、入力端子をＲＧＢ入力端子３に切り替える機能を有することによって、迅速で且つ少ない手間で画像を表示することができる。
【００６０】
なお、本実施の形態３においては、スタンバイ状態にあるプロジェクターにノートＰＣの出力信号をＲＧＢ入力端子３に接続し、ノートＰＣの画像出力モードの設定を外部モニターモードに設定するとしたが、ランプ点灯状態にあるプロジェクターで、たとえば、Ｖｉｄｅｏ入力端子２からの画像信号を投射表示しているプロジェクターで、ノートＰＣの出力信号をＲＧＢ入力端子３に接続し、ノートＰＣの画像出力モードの設定を外部モニターモードに設定することで、マイコン５がプラグアンドプレイデータを検出し、Ｖｉｄｅｏ入力端子２の画像信号を液晶パネル７に供給するように選択されていた選択回路４を制御して、ＲＧＢ入力端子３の画像信号を液晶パネル７に供給するという動作も可能である。
【００６１】
また、本実施の形態においては、ＲＧＢ入力端子３に接続する信号をノートＰＣとしたが、これに限定されるものではなく、デスクトップパソコン等プラグアンドプレイデータを通信するコンピュータにおいて有効である。
【００６２】
さらに、本発明の実施の形態１〜実施の形態３においては、液晶プロジェクターについて述べたが、表示デバイスは液晶に限定されるものではなく、ＤＭＤを用いたプロジェクターなどにおいても有効である。
【産業上の利用可能性】
【００６３】
本発明にかかる投射型画像表示装置は、メモリーカードの画像をプロジェクターで表示する場合に、メモリーカードをメモリーカードスロットに挿入するという動作のみで、ランプを点灯させ投射表示をすることが可能となり、迅速且つ少ない手間で画像を表示することができる、あるいはノートＰＣをはじめとするコンピュータ信号の画像をプロジェクターで投射表示する場合に、コンピュータの画像出力モードの設定を外部モニターモードに設定するのみで画像を表示することが可能となり、迅速且つ少ない手間で画像を表示することができる。
【図面の簡単な説明】
【００６４】
【図１】本発明の実施の形態１の投射型画像表示装置であるプロジェクターの概略構成図
【図２】本発明の実施の形態１のプロジェクターの動作を示すフローチャート
【図３】本発明の実施の形態２の投射型画像表示装置であるプロジェクターの概略構成図
【図４】本発明の実施の形態３の投射型画像表示装置であるプロジェクターの概略構成図
【図５】本発明の実施の形態３のプロジェクターの動作を示すフローチャート
【図６】従来のプロジェクターにおけるメモリーカードの画像を投写表示する動作を示すフローチャート
【図７】従来のプロジェクターにおけるノートＰＣの画像を投写表示する動作を示すフローチャート
【符号の説明】
【００６５】
１  ＳＤカードスロット
２  Ｖｉｄｅｏ入力端子
３  ＲＧＢ入力端子
４  選択回路
５  マイコン
６  ランプ
７  液晶パネル
８  投写レンズ
９  プロセッサ
１０  プラグアンドプレイメモリ
１１  カード検出部
【図１】
2007212619.tif 000003
【図２】
2007212619.tif 000004
【図３】
2007212619.tif 000005
【図４】
2007212619.tif 000006
【図５】
2007212619.tif 000007
【図６】
2007212619.tif 000008
【図７】
2007212619.tif 000009